(57)【特許請求の範囲】
【請求項１】
多数のボール状商品としての球(3)を貯蔵したストッカー(4)と、ストッカーからプレー球(3a)と賞球(3b)を繰出す球繰出手段(5)と、繰出されたプレー球(3a)をスタート地点(S)に導く供給路(6)に向けて移送するプレー球移送手段(7)と、繰出された賞球(3b)を待機せしめる賞球供給手段(8)と、プレー球(3a)をスタート地点(S)からゴール地点(G)まで導かせる遊技手段(9)と、ゴール地点(G)に到達したプレー球(3a)を受けて賞球供給手段(8)を駆動せしめることにより該プレー球(3a)と共に賞球(3b)を遊技者に提供する賞球駆動手段(10)とをハウジング(2)に内装し、
前記遊技手段(9)のゴール地点は、大当たりゴール(G2)と、小当たりゴール(G1)の複数種類のゴールを設けており、
前記賞球供給手段(8)は、球繰出手段(5)により繰出された賞球(3b)をそれぞれ待機せしめる小当たり供給手段(35)と大当たり供給手段(36)を構成し、
前記賞球駆動手段(10)は、小当たりゴール(G1)に到達したプレー球(3a)により小当たり供給手段(35)を駆動せしめ、プレー球(3a)と共に小当たり供給手段(35)に待機する賞球(3b)を遊技者に提供する小当たり駆動手段(47)と、大当たりゴール(G2)に到達したプレー球(3a)により大当たり供給手段(36)を駆動すると共に連動手段(64)を介して小当たり駆動手段(47)を連動して駆動せしめ、プレー球(3a)と共に大当たり供給手段(36)及び小当たり供給手段(35)に待機する賞球(3b)(3b)を同時に遊技者に供給する大当たり駆動手段(48)を構成して成ることを特徴とする遊技機。
【請求項２】
小当たり供給手段(35)は、賞球(3b)を通過せしめる賞球路(49)と、該賞球路(49)に設けられた回転自在な羽根車(50)とから構成され、小当たり駆動手段(47)は、羽根車(50)を回転不能に係止する係止爪(51)を設けた揺動アーム(52)と、小当たりゴール(G1)に到達したプレー球(3a)の落下衝撃を介して揺動アーム(52)を揺動せしめることにより前記係止爪(51)を羽根車(50)から退避せしめる球受部材(53)とから構成されており、
大当たり供給手段(36)は、賞球(3b)を通過せしめる賞球路(54)と、該賞球路(54)に設けられた回転自在な羽根車(55)とから構成され、大当たり駆動手段(48)は、羽根車(55)を回転不能に係止する係止爪(56)を設けた揺動アーム(57)と、大当たりゴール(G2)に到達したプレー球(3a)の落下衝撃を介して揺動アーム(57)を揺動せしめることにより前記係止爪(56)を羽根車(55)から退避せしめる球受部材(58)とから構成されており、
大当たり駆動手段(48)と小当たり駆動手段(47)の間に、大当たり駆動手段(48)の揺動アーム(57)を揺動せしめたとき、同時に、小当たり駆動手段(47)の揺動アーム(52)を揺動せしめる連動手段(64)を設けて成ることを特徴とする請求項１に記載の遊技機。
【発明の詳細な説明】
【０００１】
【発明の属する技術分野】
本発明は、ボール状のガムや、内部に物品を収納したボール状カプセル等のような商品としての球を使用した遊技機に関する。
【０００２】
【従来の技術】
従来、ボール状のガム等の球を使用した遊技機は、例えば、１００円等の硬貨を投入することにより、所定のプレー球が供給される。そこで、遊技者は、プレー球をスタート地点からゴール地点に導くようにゲームを楽しむことができる。ゲーム中、遊技に失敗すると、プレー球を失いゲームを終了する。遊技に成功し、プレー球をゴール地点に到達できると、賞品ないし景品が提供される。
【０００３】
多くの遊技機は、プレー用の駆動機構や、賞品供給用駆動機構を可能とするために、電気的構成を採用しており、完全な機械機構により構成された遊技機は極めて稀である。
【０００４】
【発明が解決しようとする課題】
ところで、電気的構成は、複雑な機械機構を必要としないため、設計及び製造が容易であるという利点がある反面、設置場所における電源の問題や、乱暴な取扱いによる故障の問題がある。
【０００５】
この点に関して、本発明者は、機械機構のみにより完成した遊技機の提供が望ましいことを知見したが、ゲームの嗜好性の向上と、機械的構成における信頼性や低コスト性等に関して、多くの課題を克服することが必要である。
【０００６】
【課題を解決するための手段】
本発明は、上記課題を解決するため、ストッカーからのプレー球の供給と、ストッカーからの賞球の待機のような必要作業を全て機械機構により行わしめるようにした遊技機を提供するものであり、特に、遊技の嗜好性を向上せしめるため、遊技手段に大当たりゴールと小当たりゴールの複数種類のゴールを設け、プレー球が小当たりゴールに到達したときは、１個のプレー球と１個の賞球との合計２個を遊技者に提供するが、プレー球が大当たりゴールに到達したときは、１個のプレー球と２個の賞球との合計３個を遊技者に提供できるように構成したことを特徴とする。
【０００７】
そこで、本発明が手段として構成したところは、多数のボール状商品としての球を貯蔵したストッカーと、ストッカーからプレーと賞球を繰出す球繰出手段と、繰出されたプレー球をスタート地点に導く供給路に向けて移送するプレー球移送手段と、繰出された賞球を待機せしめる賞球供給手段と、プレー球をスタート地点からゴール地点まで導かせる遊技手段と、ゴール地点に到達したプレー球を受けて賞球供給手段を駆動せしめることにより該プレー球と共に賞球を遊技者に提供する賞球駆動手段とをハウジングに内装し、前記遊技手段のゴール地点は、大当たりゴールと、小当たりゴールの複数種類のゴールを設けており、前記賞球供給手段は、球繰出手段により繰出された賞球をそれぞれ待機せしめる小当たり供給手段と大当たり供給手段を構成し、前記賞球駆動手段は、小当たりゴールに到達したプレー球により小当たり供給手段を駆動せしめ、プレー球と共に小当たり供給手段に待機する賞球を遊技者に提供する小当たり駆動手段と、大当たりゴールに到達したプレー球により大当たり供給手段を駆動すると共に連動手段を介して小当たり駆動手段を連動して駆動せしめ、プレー球と共に大当たり供給手段及び小当たり供給手段に待機する賞球を同時に遊技者に供給する大当たり駆動手段を構成して成る点にある。
【０００８】
小当たり供給手段は、賞球を通過せしめる賞球路と、該賞球路に設けられた回転自在な羽根車とから構成され、小当たり駆動手段は、羽根車を回転不能に係止する係止爪を設けた揺動アームと、小当たりゴールに到達したプレー球の落下衝撃を介して揺動アームを揺動せしめることにより前記係止爪を羽根車から退避せしめる球受部材とから構成されており、大当たり供給手段は、賞球を通過せしめる賞球路と、該賞球路に設けられた回転自在な羽根車とから構成され、大当たり駆動手段は、羽根車を回転不能に係止する係止爪を設けた揺動アームと、大当たりゴールに到達したプレー球の落下衝撃を介して揺動アームを揺動せしめることにより前記係止爪を羽根車から退避せしめる球受部材とから構成されており、大当たり駆動手段と小当たり駆動手段の間に、大当たり駆動手段の揺動アームを揺動せしめたとき、同時に、小当たり駆動手段の揺動アームを揺動せしめる連動手段を設けている。
【０００９】
【発明の実施の形態】
以下図面に基づいて本発明の好ましい実施形態を詳述する。
【００１０】
図１は、遊技機１の概略構成を示しており、ハウジング２には、多数のボール状商品としての球３を貯蔵したストッカー４と、ストッカー４からプレー球３ａと賞球３ｂを繰出す球繰出手段５と、繰出されたプレー球３ａをスタート地点Ｓに導く供給路６に向けて移送するプレー球移送手段７と、繰出された賞球３ｂを受け取り待機せしめる賞球供給手段８と、プレー球３ａをスタート地点Ｓからゴール地点Ｇ１、Ｇ２まで導かせる遊技手段９と、ゴール地点Ｇ１、Ｇ２に到達したプレー球３ａを受けて賞球供給手段８を駆動せしめることにより該プレー球３ａと共に賞球３ｂを排出口１１から遊技者に提供せしめる賞球駆動手段１０が内装されている。
【００１１】
遊技手段９は、図例の場合、ジグザグ状その他の導路を設けたゲーム板を操作ハンドル１２により揺動させながら、下方のスタート地点Ｓから上方のゴール地点Ｇ１、Ｇ２まで導かせる形式のものを示しているが、これに限らず、ゲーム板上で球３ａを弾くことによりゴール孔に投入させる形式のものとしても良い。また、図示実施形態において、球３は、種々の色彩に着色されたボール状ガムを対象としているが、内部に景品を収納したボール状カプセルのような商品を球３としても良い。
【００１２】
本発明において、遊技手段９のゴール地点は、大当たりゴールＧ２と、小当たりゴールＧ２の複数種類のゴールを設けている。そこで、遊技者が操作ハンドル１２により遊技手段９を操作し、プレー球３ａが小当たりゴールＧ１に到達したときは、１個のプレー球３ａと１個の賞球３ｂとの合計２個が排出口１１から遊技者に提供され、プレー球３ａが大当たりゴールＧ２に到達したときは、１個のプレー球と２個の賞球との合計３個が排出口１１から遊技者に提供される。尚、ゲームに失敗し、プレー球３ａが遊技手段９の導路から脱落したときは、脱落したプレー球３ａだけが排出口１１から遊技者に提供されるが、脱落したプレー球３ａをストッカー４に戻すように構成しても良い。
【００１３】
図１に示すように、遊技機１には、１回のプレーで所定回転数、好ましくは１回転（３６０度）だけ回転を許されるハンドル１３をハウジング２の外部に設けると共に、該ハンドル１３の回転軸１４をハウジング２の内部に延設している。遊技機１は、例えば投入口１５に１００円等の硬貨を投入したときにプレー可能状態となるが、ハンドル１３を１回転することによって所定のプレー球、図例の場合は１個のプレー球３ａが供給され、以後は、再度、硬貨を投入しない限り、ハンドル１３は回転不能となるようにロックされる。
【００１４】
（球繰出手段）
図２及び図３に示すように、球繰出手段５は、往復動方向ＦＲに間隔をあけて何れも球３を収容可能な深さとされたプレー球通過孔１６と、小当たり賞球通過孔１７及び大当たり賞球通過孔１８とを設けたスライダー１９と、スライダー１９の下面に固定配置され前記往復動方向ＦＲに間隔をあけてプレー球排出孔２０と、小当たり賞球排出孔２１及び大当たり賞球排出孔２２を形成した排出板２３と、ストッカー４の底部を構成すると共にスライダー１９の上面に固定配置され前記往復動方向ＦＲに間隔をあけてプレー球受入孔２４と賞球受入孔２５を形成した受入板２６とから構成されている。
【００１５】
受入板２６は、球３を１列にのみ受入可能とする溝部２７を形成し、該溝部２７の底部に前記プレー球受入孔２４及び賞球受入孔２５を開設しており、溝部２７の長手方向両側から孔２４及び２５に向けて下り勾配となるガイド傾斜面２８、２９を形成しており、更に、孔２４及び２５を含む領域において溝部２７と平行なスリット３０を形成している。このスリット３０は、スライダー１９の往復動ストロークと同じかそれよりも長い。
【００１６】
スライダー１９は、受入孔２６のスリット３０に挿通せしめられる山形状の攪拌翼３１、３２を立設しており、ハンドル１３の回転軸１４の回転運動を受けると共に該回転運動を往復運動に変換するリンク機構から成る往復動機構３３を備えている。
【００１７】
排出板２３の下方には、賞球供給手段８と、球移送路３４が配置されている。賞球供給手段８の詳細は後述するが、小当たり供給手段３５と大当たり供給手段３６を構成しており、それぞれ排出板２３の小当たり賞球排出孔２１と大当たり賞球排出孔２２の直下に配置されている。また、球移送路３４は、プレー球３ａをプレー球移送手段７に移送せしめる樋状の通路を構成しており、排出板２３のプレー球排出孔２０の直下に配置されている。
【００１８】
図３（Ａ）は、ハンドル１３の回転軸１４が停止した状態であり、遊技機１は休止中又は遊技中の状態にある。この状態で、受入板２６とスライダー１９と排出板２３は、次のような関係にある。即ち、プレー球受入孔２４とプレー球通過孔１６とプレー球排出孔２０とは、相互に連通していない。また、賞球受入孔２５に対して、大当たり賞球通過孔１８と大当たり排出孔２２は、相互に連通していない。更に、賞球受入孔２５に対して、小当たり賞球通過孔１７は連通しているが（連通しないように構成しても良い）、該通過孔１７は小当たり排出孔２１に連通していない。従って、この状態において、ストッカー４に貯蔵された多数の球３が自重により溝部２７からスライダー１９の各孔に向けて固まって進入することが阻止されており、スライダー１９を往復動方向ＦＲに容易に駆動することが可能になる。
【００１９】
この状態からハンドル１３を介して回転軸１４を回転すると、図３（Ｂ）に示すように、先ず、スライダー１９は、往動方向Ｆに往動する。図例の場合、先に賞球受入孔２５から小当たり賞球通過孔１７に賞球３ｂが進入し、収容されているので、スライダー１９の往動により小当たり賞球通過孔１７が小当たり排出孔２１の直上に移動することにより、賞球３ｂを小当たり供給手段３５に向けて落下する。
【００２０】
この往動により、図３（Ｂ）に示すように、大当たり賞球通過孔１８が賞球受入孔２５の直下に位置し、プレー球通過孔１６がプレー球受入孔２４の直下に位置することになるので、大当たり賞球通過孔１８及びプレー球通過孔１６のそれぞれにストッカー４から賞球３ｂ及びプレー球３ａが落下し収容される。然しながら、賞球３ｂ及びプレー球３ａは大当たり賞球通過孔１８及びプレー球通過孔１６に保持されている。尚、スライダー１９の往動時に攪拌翼３１、３２がストッカー４の球３を攪拌し、溝部２７に沿って好適に整列せしめる。
【００２１】
回転軸１４を回転し続けることにより、次いで、図３（Ｃ）に示すように、スライダー１９は、復動方向Ｒに方向を転換する。これにより、大当たり賞球通過孔１８及びプレー球通過孔１６がそれぞれ大当たり排出孔２２及びプレー球排出孔２０の直上に位置せしめられ、それぞれが収容していた賞球３ｂ及びプレー球３ａを大当たり供給手段３６及び球移送路３４に向けて落下する。尚、この復動時にも攪拌翼３１、３２がストッカー４の球３を攪拌し、溝部２７に沿って好適に整列せしめる。
【００２２】
そして、回転軸１４の１回転が終わると、スライダー１９は、図３（Ａ）の位置に戻る。
【００２３】
（プレー球移送手段）
球繰出手段５により繰出されたプレー球３ａは、球移送路３４を介してプレー球移送手段７に送られる。図４に示すように、該移送手段７は、ハンドル１３により回転される回転軸１４に連動して回転せしめられるロータ３７を構成する。即ち、ロータ３７は、回転軸１４に設けたスプロケットホイール等の回転体３８により回転される噛合部３９を設けており、回転軸１４の１回転（３６０度）に対してロータ３７は半回転（１８０度）するようにギヤ比を設定されている。
【００２４】
ロータ３７に対して、球移送路３４から移送されるプレー球３ａを受け取る開口部を有する待機室４０がロータ３７の低位に設けられ、プレー球３ａをスタート地点Ｓに案内する供給路６がロータ３７の上位に設けられており、待機室４０から供給路６に向けてロータ３７の周面に沿う球案内路４１が設けられている。そして、ロータ３７の周面には、直径方向に一対の移送爪４２、４２が突設されている。
【００２５】
前述のように、球繰出手段５を作動することにより、１個宛のプレー球３ａが球移送路３４を介してプレー球移送手段７に送られており、従って、遊技者がハンドル１３により回転軸１４を回転するときには、既に、その前に回転軸１４を回転することによりストッカー４から繰出されたプレー球３ａが待機室４０に進入し収容されている。
【００２６】
そこで、その状態からハンドル１３により回転軸１４を１回転すると、ロータ３７が半回転され、待機室４０に収容されたプレー球３ａを移送爪４２により押し上げながら、球案内路４１を経て、供給路６へと移送する。
【００２７】
ところで、このような回転軸１４の回転により、球繰出手段５からは次のプレー球３ａが球移送路３４を介して待機室４０に向けて送られるので、ロータ３７の回転時に待機室４０の開口部を閉鎖する閉鎖板４３が設けられている。閉鎖板４３は、待機室４０の開口部を開閉自在とするように支軸４４を介して回転自在に軸支されており、ロータ３７の回転方向Ｍに対向する方向に回動するようにスプリング（図示省略）を介して付勢され、スプリングにより回動された状態で待機室４０の開口部を開放している。閉鎖板４３にはカム部４６が形成され、ロータ３７の側面にはカム部４６に対向する突起４５が突設されている。そこで、ロータ３７が回転すると、突起４５がカム部４６に当接し、閉鎖板４３は、スプリングに抗して回動され、図４（Ｂ）に示すように、待機室４０の開口部を閉鎖せしめる。尚、ロータ３７の回転と共に突起４５が通過した後、閉鎖板４３はスプリングにより元の位置に復帰し、図４（Ａ）に示すように、待機室４０の開口部を開放する。
【００２８】
（賞球供給手段と賞球駆動手段）
図２及び図３に基づいて上述したように、球繰出手段５から繰出された賞球３ｂは、それぞれ賞球供給手段８の小当たり供給手段３５及び大当たり供給手段３６に落下され、そこで待機せしめられる。賞球供給手段８と賞球駆動手段１０の詳細は、図５ないし図９に示しており、賞球供給手段８は、前述した小当たり供給手段３５と大当たり供給手段３６を構成し、賞球駆動手段１０は、小当たり駆動手段４７と大当たり駆動手段４８を構成している。
【００２９】
小当たり供給手段３５は、賞球３ｂを通過せしめる賞球路４９と、該賞球路４９に設けられた回転自在な羽根車５０とから構成され、小当たり駆動手段４７は、羽根車５０を回転不能に係止する係止爪５１を設けた揺動アーム５２と、小当たりゴールＧ１に到達したプレー球３ａの落下衝撃を介して揺動アーム５２を揺動せしめることにより前記係止爪５１を羽根車５０から退避せしめる球受部材５３とから構成されている。
【００３０】
大当たり供給手段３６は、賞球３ｂを通過せしめる賞球路５４と、該賞球路５４に設けられた回転自在な羽根車５５とから構成され、大当たり駆動手段４８は、羽根車５５を回転不能に係止する係止爪５６を設けた揺動アーム５７と、大当たりゴールＧ２に到達したプレー球３ａの落下衝撃を介して揺動アーム５７を揺動せしめることにより前記係止爪５６を羽根車５５から退避せしめる球受部材５８とから構成されている。
【００３１】
小当たり駆動手段４７及び大当たり駆動手段４８の球受部材５３、５８は、何れも揺動アーム５２、５７の下端部に付設されたほぼＬ形の板材から構成され、併設された球受部材５３、５８のそれぞれの直上に、小当たりガイド筒５９と大当たりガイド筒６０を配置している。小当たりガイド筒５９は、フレキシブルチューブ等の案内路を介して遊技手段９の小当たりゴールＧ１に連通接続されており、大当たりガイド筒６０は、フレキシブルチューブ等の案内路を介して遊技手段９の大当たりゴールＧ２に連通接続されている。
【００３２】
小当たり駆動手段４７及び大当たり駆動手段４８の揺動アーム５２、５７は、支軸６１を介して回動自在に軸支されると共に、それぞれ図６に示すようなスプリング６２、６３により、常時は、係止爪５１、５６がそれぞれの羽根車５０、５５に係止するように弾発付勢されている。尚、後述する連動手段の作動を好適ならしめるため、スプリング６２のバネ力よりもスプリング６３のバネ力を小さく設定することが好ましい。
【００３３】
大当たり駆動手段４７と小当たり駆動手段４８の間には、大当たり駆動手段４７の揺動アーム４８を揺動せしめたとき、同時に、小当たり駆動手段４７の揺動アーム５２を揺動せしめる連動手段６４が設けられている。図例の場合、揺動アーム４８、５２をスプリング６２、６３に抗して回動せしめる方向（係止爪５１、５６を羽根車５０、５５から退避せしめる回動方向）に関して、大当たり側の揺動アーム５７から小当たり側の揺動アーム５２にオーバラップ状態で重ね合わせられる舌片６５を設けることにより連動手段６４を構成している。従って、大当たり側の揺動アーム５７をスプリング６３に抗して回動せしめたとき、小当たり側の揺動アーム５２も同時に回動せしめられる。然しながら、小当たり側の揺動アーム５２をスプリング６２に抗して回動せしめても、大当たり側の揺動アーム５７が同時に回動されることはない。尚、併設された球受部材５３、５８の間には、少なくとも何れか一方から仕切壁５８ａを立設することが好ましい。
【００３４】
羽根車５０、５５の詳細を図７に示している。図例の場合、羽根車５０、５５は、支軸に回転自在に外挿される回転スリーブ６６の外周に等間隔をあけて複数枚、図示の場合は４枚の羽根板６７を設けるに際し、回転スリーブ６６の直径方向ではなく、回転スリーブ６６の接線方向に偏位して羽根板６７を設けている。このため、同一構成の羽根車でありながら、図７（Ａ）に示すような姿勢で使用する場合は、賞球３ｂを受けるべき羽根板６７ｂが回転スリーブ６６の下側から延びるので、賞球３ｂを受ける深さＨが深くなる。これに対して、図７（Ｂ）に示すように、羽根車を軸向き方向が反転するように裏返した姿勢で使用する場合は、賞球３ｂを受けるべき羽根板６７ｂが回転スリーブ６６の上側から延びるので、賞球３ｂを受ける深さｈが浅くなる。これにより、遊技機に使用されるガムボール等の球３の直径が変更される場合でも、それに容易に対応せしめることが可能になる。
【００３５】
図８は、プレー球３ａが遊技手段９の小当たりゴールＧ１に到達し、小当たりガイド筒５９を介して小当たり駆動手段４７に向けて落下した場合の作用を示している。プレー球３ａが小当たり駆動手段４７の球受部材５３に落下すると、その落下衝撃により、揺動アーム５２は、スプリング６２に抗して回動せしめられ、係止爪５１を羽根車５０から退避する。賞球路４９には、先に駆動された球繰出手段５から落下された賞球３ｂが収容され、羽根車５０の羽根６７ｂに載置されているので、係止爪５１が退避するや否や、賞球３ｂの自重により羽根車５０が回転し、賞球３ｂを賞球路４９から落下せしめる。従って、１個のプレー球３ａと１個の賞球３ｂの合計２個が落下し排出口１１に向けて転動し、遊技者に提供される。
【００３６】
図９は、プレー球３ａが遊技手段９の大当たりゴールＧ２に到達し、大当たりガイド筒６０を介して大当たり駆動手段４８に向けて落下した場合の作用を示している。プレー球３ａが大当たり駆動手段４８の球受部材５８に落下すると、その落下衝撃により、揺動アーム５７は、スプリング６３に抗して回動せしめられ、係止爪５６を羽根車５５から退避する。従って、賞球路５４に収容された賞球３ｂの自重により羽根車５５が回転し、賞球３ｂを賞球路５４から落下させる。前述したように、大当たり側の揺動アーム５７は、連動手段６４を介して、小当たり側の揺動アーム５２に連動連結されているので、同時に、小当たり側の揺動アーム５２もスプリング６３に抗して回動せしめられ、係止爪５１を羽根車５０から退避することにより、賞球路４９の賞球３ｂを落下させる。その結果、１個のプレー球３ａと２個の賞球３ｂの合計３個が落下し排出口１１に向けて転動し、遊技者に提供される。
【００３７】
上記の図示実施例においては、ストッカー４から球繰出手段５を介して小当たり供給手段３５と大当たり供給手段３６に各１個の賞球３ｂを収容し待機せしめる構成としたが、小当たり供給手段３５及び／又は大当たり供給手段３６は、複数個の賞球３ｂを収容待機させるように構成しても良く、小当たりの場合には１個のプレー球３ａと小当たり供給手段３５からの複数の賞球３ｂを排出させ、大当たりの場合には１個のプレー球３ａと小当たり供給手段３５及び大当たり供給手段３６からの複数（多数）の賞球３ｂを排出させるように構成しても良い。
【００３８】
【発明の効果】
本発明によれば、ストッカー４からのプレー球３ａの供給と、ストッカー４からの賞球３ｂの待機のような必要作業を全て機械機構により行わしめるようにした遊技機を提供することが可能であり、特に、遊技手段９に大当たりゴールＧ２と小当たりゴールＧ１の複数種類のゴールを設け、プレー球３ａが小当たりゴールＧ１に到達したときは、１個のプレー球３ａと１個の賞球３ｂとの合計２個を遊技者に提供し、プレー球３ａが大当たりゴールＧ２に到達したときは、１個のプレー球３ａと２個の賞球３ｂ、３ｂとの合計３個を遊技者に提供する構成であるから、遊技の嗜好性を大幅に向上できるという効果がある。
【図面の簡単な説明】
【図１】本発明に係る遊技機の１例を概略的に示す斜視図である。
【図２】球繰出手段の１実施形態を分解して示す斜視図である。
【図３】球繰出手段の作用を示しており、（Ａ）はスライダーが停止した状態を示す断面図、（Ｂ）スライダーの往動時の作用を示す断面図、（Ｃ）はスライダーの復動時の作用を示す断面図である。
【図４】プレー球移送手段の１実施形態を示しており、（Ａ）はプレー球を移送する前の状態を示す斜視図、（Ｂ）はプレー球の移送中の状態を示す斜視図である。
【図５】賞球供給手段と賞球駆動手段の１実施形態を示す斜視図である。
【図６】賞球供給手段と賞球駆動手段を分解して示す斜視図である。
【図７】賞球供給手段における羽根車の１例を示しており、（Ａ）は深さＨとした使用例を示す斜視図、（Ｂ）は深さｈとした使用例を示す斜視図である。
【図８】賞球供給手段と賞球駆動手段の作用を示しており、小当たり時の作用を示す斜視図である。
【図９】賞球供給手段と賞球駆動手段の作用を示しており、大当たり時の作用を示す斜視図である。
【符号の説明】
１    遊技機
２    ハウジング
３    球
３ａ  プレー球
３ｂ  賞球
４    ストッカー
５    球繰出手段
６    供給路
７    プレー球移送手段
８    賞球供給手段
９    遊技手段
１０    賞球駆動手段
１３    ハンドル
１４    回転軸
１６    プレー球通過孔
１７    小当たり賞球通過孔
１８    大当たり賞球通過孔
１９    スライダー
２３    排出板
２６    受入板
３３    往復動機構
３４    球移送路
３５    小当たり供給手段
３６    大当たり供給手段
３７    ロータ
４０    待機室
４１    球案内路
４２    移送爪
４３    閉鎖板
４７    小当たり駆動手段
４８    大当たり駆動手段
４９、５４  賞球路
５０、５５  羽根車
５１、５６  係止爪
５２、５７  揺動アーム
５３、５８  球受部材
６２、６３  スプリング
６４    連動手段
【図１】
0003626157.tif 000002
【図２】
0003626157.tif 000003
【図３】
0003626157.tif 000004
【図４】
0003626157.tif 000005
【図５】
0003626157.tif 000006
【図６】
0003626157.tif 000007
【図７】
0003626157.tif 000008
【図８】
0003626157.tif 000009
【図９】
0003626157.tif 000010